(57)【特許請求の範囲】
【請求項１】
ユーザの首方向に形成されて脊柱の一部分が安着される脊柱支承部；
前記脊柱支承部の後方に形成されて頭の後頭部が安着される後頭部支承部；
前記後頭部を刺激するために前記後頭部の神経繊維に沿って形成される後頭部指圧部；及び
前記脊柱支承部の両側面に形成されて前記首を支持する首支持部を含む枕。
【請求項２】
前記脊柱支承部は、前記脊柱が楽に安着されるように支える脊柱安着溝を含むことを特徴とする請求項１記載の枕。
【請求項３】
前記脊柱支承部は、前記安着される脊柱を刺激するための脊柱指圧棒を含むことを特徴とする請求項１記載の枕。
【請求項４】
前記脊柱支承部は第１の脊柱支承部及び第２の脊柱支承部を含み、前記第２の脊柱支承部は前記第１の脊柱支承部よりも低く形成されて、前記脊柱が、前記第１の脊柱支承部及び前記第２の脊柱支承部に順次安着されることを特徴とする請求項１記載の枕。
【請求項５】
前記脊柱支承部は、第３の脊柱支承部を更に含み、前記第３の脊柱支承部は前記第２の脊柱支承部よりも低く形成されて、前記脊柱が、前記第１〜第３の脊柱支承部に順次安着されることを特徴とする請求項４記載の枕。
【請求項６】
前記後頭部支承部は、前記後頭部を支える後頭部安着溝を含むことを特徴とする請求項１記載の枕。
【請求項７】
前記後頭部指圧部は、前記後頭部の神経繊維を刺激するために環椎と後頭骨との間の上項線に沿って突設される少なくとも一つの指圧突起を含むことを特徴とする請求項１記載の枕。
【請求項８】
前記後頭部指圧部は、前記脊柱支承部及び前記首支持部の後面に前記環椎と後頭骨との間の上項線に沿って突設された少なくとも一つの指圧突起を含むことを特徴とする請求項１記載の枕。
【請求項９】
前記首支持部の上端部には前記頭の後頭骨部位を刺激するための後頭骨指圧部が脱着自在に形成されることを特徴とする請求項１記載の枕。
【請求項１０】
前記後頭部指圧部は、突出方向に沿って変位できるように形成されることを特徴とする請求項１記載の枕。
【請求項１１】
前記後頭部指圧部は赤外線またはレーザー線を放射するランプを含むことを特徴とする請求項１記載の枕。
【請求項１２】
前記脊柱支承部の側面に形成されて前記脊柱支承部を支持する補助支持部を更に含むことを特徴とする請求項１記載の枕。
【請求項１３】
前記枕の下部に形成されて香りを発生させる香り発生部を更に含むことを特徴とする請求項１記載の枕。
【請求項１４】
前記枕の下部に形成されて音響を発生させる音響発生部を更に含むことを特徴とする請求項１記載の枕。
【請求項１５】
首方向に形成されて脊柱が安着される脊柱支承部；
前記脊柱支承部の後方に形成されて頭の後頭部が安着される後頭部支承部；
前記脊柱支承部の両側面に形成されて前記首を支持する首支持部；及び
前記首支持部の上端部に形成されて前記頭の後頭骨部位を刺激するための後頭骨指圧部を含むことを特徴とする枕。
【請求項１６】
前記後頭骨指圧部は前記首支持部の上端部に脱着自在に形成されることを特徴とする請求項１５記載の枕。
【請求項１７】
前記後頭骨指圧部は前記頭の後頭骨部位の中で第４脳室を刺激するために前記首支持部の上端部に形成されることを特徴とする請求項１５記載の枕。
【請求項１８】
前記後頭骨指圧部は前記頭の後頭骨部位の中で乳様突起の下方を刺激するために前記首支持部の上端部に形成されることを特徴とする請求項１５記載の枕。
【請求項１９】
前記後頭部の神経繊維を刺激するために前記脊柱支承部及び前記首支持部の後面に形成される後頭部指圧部を更に含むことを特徴とする請求項１５記載の枕。
【請求項２０】
前記後頭部指圧部は前記環椎と後頭骨との間の上項線に沿って突設される少なくとも一つの指圧突起を含むことを特徴とする請求項１９記載の枕。
【請求項２１】
前記後頭部指圧部は、突出方向に沿って変位できるように形成されることを特徴とする請求項１９記載の枕。
【発明の詳細な説明】
【技術分野】
【０００１】
本発明は枕に関し、より詳しくは頭の自重を用いて後頭部を刺激し続けることで後頭部の緊張した筋肉群の弛緩を誘導するとともに、頭蓋仙骨部の硬膜系の弛緩を自然に誘導する頭蓋仙骨療法を用いた瞑想用枕に関する。
【背景技術】
【０００２】
これまで数多くの学者らの研究によって人体の脳、頭蓋骨、及び骨盤における仙骨は微細に動き、かかる動きによって脳脊髄液は脳及び脊髓に沿って流れており、血液が血管に沿って流れているように脳脊髄液も脊柱管及び頭蓋骨内を循環しながら神経系、筋骨格系、血管系、リンパ系、内分泌系、呼吸器系など、人体内に存在する全ての身体情報と連絡して体の生体リズムを調律、統合していることが明らかになった。
【０００３】
人体に不適切な緊張及び繰り返しストレスが発生すれば中枢神経系に影響を及ぼし、前記脳脊髄液の正常な循環を邪魔することにより、神経系、筋骨格系、血管系、リンパ系、内分泌系、呼吸器系などと係わる器官で問題を発生させる。
【０００４】
頭蓋仙骨療法（ＣＳＴ：Craniosacral Therapy）は前記脳脊髄液の変化を、手を用いた接触を通じて把握し、微細な手の圧力で頭蓋仙骨部位を刺激して中枢神経系及び脳脊髄液の循環を正常化させる手技療法として知られている。
【０００５】
従来、頭蓋仙骨療法による治療を受けるためには治療師の手技調整だけに依存しなければならなかったので、治療師の技術の熟練度にバラツキがあり、また、治療師の判断ミスや未熟な治療によって症状が治療前よりもかえって悪化するという問題点も発生していた。
【０００６】
更に、患者たちは治療師の治療を受けるために多くの時間を待機してから非常に短い時間だけを割り当てられて間歇的な治療を受けるようになるので、治療の効果が高くないのみならず、治療にも長期間がかかるという問題点が発生する。
【発明の概要】
【発明が解決しようとする課題】
【０００７】
本発明は上述した問題点を解決するために案出されたもので、その目的はヒトが横になっているうちに頭蓋仙骨部位を刺激し続けて中枢神経系及び脳脊髄液の循環を正常化させる頭蓋仙骨療法を用いた瞑想用枕を提供することにある。
【０００８】
本発明の他の目的は、後頭部（occipital region）が安着される部位に環椎と頭蓋骨との間の神経繊維を刺激するための後頭部指圧部を具備することで、関連筋肉の弛緩を誘導し、脳脊髄液の循環を促進させる頭蓋仙骨療法を用いた瞑想用枕を提供することにある。
【０００９】
本発明のまた他の目的は、後頭骨部を刺激するための後頭骨指圧部を具備して呼吸の自律神経調節に影響を与えることで、交感神経系の緊張を弛緩させ、脳脊髄液の循環を活性化させる頭蓋仙骨療法を用いた瞑想用枕を提供することにある。
【課題を解決するための手段】
【００１０】
本発明の一実施態様に係る枕は、ユーザの首方向（首の延出する方向）に形成されて脊柱の一部分が安着される脊柱支承部と、前記脊柱支承部の後方に形成されて頭の後頭部が安着される後頭部支承部と、前記後頭部の神経繊維を刺激するために環椎と後頭骨との間の上項線に沿って突設される後頭部指圧部とを含む。
【００１１】
本発明の他の実施態様に係る枕は、首方向に形成されて脊柱が安着される脊柱支承部と、前記脊柱支承部の後方に形成されて頭の後頭部が安着される後頭部支承部と、前記脊柱支承部の両側面に形成されて前記首を支持する首支持部と、前記首支持部の上端部に形成されて前記頭の後頭骨部位を刺激するための後頭骨指圧部とを含む。
【発明の効果】
【００１２】
本発明による枕は、ヒトが横になっているうちに頭蓋仙骨部位を刺激し続けて頭と係わる後頭部の緊張した筋肉群の弛緩を誘導するとともに、頭蓋仙骨部の硬膜系の弛緩を誘導して脳脊髓循環を促進させることで脳血流循環を改善して頭脳発達を促進し、脊柱の生理的なカーブが形成できるように助けることによって正常位に回復させることができるという効果がある。
【００１３】
また、本発明による枕は、頭の自重によって自然に後頭部の左右の神経纎維を刺激して関連筋肉を弛緩及び伸長（Traction）させて変位された脊柱（columna vertebralis）を正常位に戻して、脳血液及び脳脊髄液の供給が円滑になるようにすることで頭脳活動を改善し、頭及び首などの痛みを除去させるという効果がある。
【００１４】
本発明による枕は、頭の自重によって自然な荷重が発生すれば後頭骨を刺激して横隔膜の活動及び呼吸の自律神経調節に影響を与えることで、交感神経系の緊張を弛緩させ、脳脊髄液の循環を活性化させて頭痛や熱などを軽減させるという効果がある。
【図面の簡単な説明】
【００１５】
【図１】本発明の一実施例による頭蓋仙骨療法を用いた瞑想用枕を示す斜視図である。
【図２】本発明の一実施例による頭蓋仙骨療法を用いた瞑想用枕を示す平面図である。
【図３】本発明の一実施例による頭蓋仙骨療法を用いた瞑想用枕を示す正面図である。
【図４】本発明の一実施例による頭蓋仙骨療法を用いた瞑想用枕を示す背面図である。
【図５】本発明の一実施例による頭蓋仙骨療法を用いた瞑想用枕を示す底面図である。
【図６】本発明の一実施例による頭蓋仙骨療法を用いた瞑想用枕の使用状態を示す図である。
【図７】本発明の他の実施例による頭蓋仙骨療法を用いた瞑想用枕を示す平面図である。
【図８】発明の他の実施例による頭蓋仙骨療法を用いた瞑想用枕を示す背面図である。
【図９】本発明の他の実施例による頭蓋仙骨療法を用いた瞑想用枕の使用状態を示す図である。
【発明を実施するための形態】
【００１６】
以下、添付された図面を参照して本発明の一実施例による頭蓋仙骨療法を用いた瞑想用枕に対して説明する。図１は本発明の一実施例による頭蓋仙骨療法を用いた瞑想用枕を示す斜視図、図２は本発明の一実施例による頭蓋仙骨療法を用いた瞑想用枕を示す平面図、図３は本発明の一実施例による頭蓋仙骨療法を用いた瞑想用枕を示す正面図、図４は本発明の一実施例による頭蓋仙骨療法を用いた瞑想用枕を示す背面図、図５は本発明の一実施例による頭蓋仙骨療法を用いた瞑想用枕を示す底面図、図６は本発明の一実施例による頭蓋仙骨療法を用いた瞑想用枕の使用状態を示す図である。
【００１７】
図１〜図６を参照すれば、本発明の一実施例による頭蓋仙骨療法を用いた瞑想用枕１００は、脊柱（vertebral column）が安着される脊柱支承部１１０、後頭部が安着される後頭部支承部１２０、及び前記後頭部の神経繊維を刺激する後頭部指圧部１３０を含む。また、首を支持する首支持部１４０、前記脊柱支承部１１０を支持する補助支持部１５０、後頭骨を刺激するための後頭骨指圧部１６０、香りを発生させる香り発生部１８０、及び音響を発生させる音響発生部１９０のうち少なくとも一つをさらに含むことができる。
【００１８】
前記脊柱支承部１１０は、ヒトが横になった際に脊柱の一部が安着されることができるように首方向（図２中のＹ軸方向）に形成され、所定の高さを有するように形成される。前記脊柱支承部１１０は２段以上の高さを有するように形成されることができ、脊柱の正常なカーブ（ｃｕｒｖｅ）を維持するように、高さが２段以上で順次低くなる構造であってもよい。また、図３に示されているように、頭と上体の重みによる荷重が脊柱に集中されるように前記脊柱支承部１１０の上面は緩いカーブを有するように形成されることができる。
【００１９】
図２及び図３に示しているように、前記脊柱支承部１１０は互いに異なる高さを有する第１の脊柱支承部１１０ａ、第２の脊柱支承部１１０ｂ、及び第３の脊柱支承部１１０ｃに分けられている。勿論、本発明の一実施例によって脊柱支承部が３つの部分に分けられて区画形成されたものであって、脊柱支承部の高さの差はこれに限定されず、多様に構成できる。
【００２０】
前記第１の脊柱支承部１１０ａは、最上部に位置し、最高の高さを有するように形成される。前記第１の脊柱支承部１１０ａは脊柱の生理的なカーブを満たすために、５ｃｍ〜１０ｃｍ程度に形成され、好ましくは７ｃｍ〜８ｃｍに形成されることができる。前記第２の脊柱支承部１１０ｂは、前記第１の脊柱支承部１１０ａに延設され、前記第１の脊柱支承部１１０ａの高さより低く形成される。前記第３の脊柱支承部１１０ｃは前記第２の脊柱支承部１１０ｂに延設され、前記第２の脊柱支承部１１０ｂの高さより低く形成される。よって、前記第１の脊柱支承部から第３の脊柱支承部１１０ａ，１１０ｂ，１１０ｃは、第１の脊柱支承部１１０ａから順次高さが低くなるように形成されて、頭と上体による荷重が脊柱に集中されるようにして脊柱部位の緊張した筋肉を弛緩させることで脊柱の正常化を誘導して、脊柱が正常なカーブを維持するようにする。
【００２１】
また、前記脊柱支承部１１０には、脊柱を楽に安着できるように支える脊柱安着溝１１２が形成され得、また、前記脊柱安着溝１１２には脊柱を刺激して指圧効果を奏するための脊柱指圧棒１１４がさらに形成され得る。
【００２２】
前記脊柱安着溝１１２は、上体の重み及び脊柱支承部の高さの差によって脊柱がむりやりに圧迫されることを防ぐために高さの差が発生する脊柱支承部１１０の前部（図２中Ｙ軸の負方向側の部分）に形成されることができる。また、前記脊柱支承部１１０が前記第１の脊柱支承部から第３の脊柱支承部１１０ａ、１１０ｂ、１１０ｃに形成される場合、脊柱安着溝１１２は各脊柱支承部にそれぞれ形成されることができる。
【００２３】
前記脊柱指圧棒１１４は、前記安着される脊柱を刺激して指圧効果を奏するように前記脊柱安着溝１１２内に所定の高さを有するように形成される。
前記後頭部支承部１２０は、前記脊柱支承部１１０の後方（図２中上方、つまり、Ｙ軸の正方向側）に頭の後頭部（occipital region）が安着されることができるように形成される。前記後頭部支承部１２０は頭が床に触れることを防止するとともに頭の重みが下向きに加わるように前記第１の脊柱支承部１１０ａの高さよりも低く形成される。また、後頭部支承部１２０は頭の重みによって後頭部が圧迫され過ぎることを防止するために後頭部と同等または類似のカーブを有する後頭部安着溝１２２が形成されることができる。
前記首支持部１４０は、脊柱支承部１１０の両側面に首を支持するために形成される。特に、前記首支持部１４０の一端部１４２は首の両側を支え、他端部１４４は頭の両側を支えることで、頭が確実に固定されるようにする。
【００２４】
前記後頭部指圧部１３０は、後頭部の神経繊維を刺激するために前記脊柱支承部１１０の後面（図２中Ｙ軸の正方向側の面）に形成される。特に、前記後頭部指圧部１３０は後頭部の環椎と後頭骨との間を刺激するために環椎と後頭骨の間の上項線（superior nuchal line）に沿って突設され得る。前記後頭部指圧部１３０は、頭の重みによって自然な荷重が発生すれば後頭部左右側の１４つの神経纎維を刺激して関連筋肉を弛緩及び伸長（Traction）させることにより、変位された脊柱を正常に戻し、脳血液及び脳脊髄液の供給が円滑になるようにして頭脳活動を改善し、頭及び首などの痛みを除去させる役割を果たす。
【００２５】
前記後頭部指圧部１３０は、後頭部の神経繊維に対する指圧効果を最大化させるために少なくとも一つの指圧突起として形成されることができる。また、前記少なくとも一つの指圧突起は環椎と後頭骨の間の上項線に対する指圧効果を最大化するために左右４つずつの指を用いる手技治療の如く、８つの指圧突起からなる。前記首支持部１４０を含まない場合は、前記脊柱支承部１１０の後面に２つから８つの指圧突起が配設され得、前記首支持部１４０を含む場合には前記脊柱支承部１１０及び首支持部１４０の後面（図２中Ｙ軸の正方向側の面）に指圧突起が形成され得る。
【００２６】
前記後頭部指圧部１３０は、その突出高さ（つまり、本実施例では円柱状の突起からなる後頭部指圧部１３０の軸方向の長さ）がユーザのすべての後頭部の構造に適用可能に形成されることができ、刺激の強度を調節するために突出方向（上記軸方向）に沿って変位させて突出高さを変更できるように形成されることができる。例えば、前記後頭部指圧部１３０の指圧突起にねじ山を設け、ねじの動きによって突出方向に沿って突出高さを変更できるように形成してもよい。この場合、前記指圧突起の高さは調節可能であり、多様な後頭部の構造に合わせて誰でも同一または類似の指圧効果を奏することができ、指圧の強度を調節することができるようになる。
【００２７】
また、前記後頭部指圧部１３０の指圧突起は振動モータと連結されて、前記振動モータの動きによって突出方向に沿って運動できるように形成されることができる。言い換えれば本実施例では円柱状に形成される後頭部指圧部１３０の軸に沿って突出方向及び逆方向に運動できるように形成される。この場合、ユーザの後頭部の形状を問わず適用可能であり、刺激の強度を調節することができることは勿論、後頭部指圧部１３０の運動の回数及び時間を調節することができるため、指圧効果を高めることができるという長所がある。
【００２８】
前記後頭部指圧部１３０は、円滑な指圧のためにシリコーン材質、ポリウレタンなどの所定の強度を有する材質で形成され、過度な刺激を防止するためにゴム材質などのカバーをさらに含むこともできる。
【００２９】
また、前記後頭部指圧部１３０は遠赤外線効果をユーザにもたらすためにヒスイやマリントートなどの遠赤外線が生じる材質で形成することができ、前記後頭部指圧部１３０の内部には、赤外線またはレーザー線を放射するランプなどの光源（例えば、発光ダイオード）が形成されてもよい。
【００３０】
図６は、ユーザが仰向けに寝た状態で頭と首が首支持部によって支えられ、後頭部が前記後頭部指圧部に正しく配置された姿を示している。
前記補助支持部１５０は、前記脊柱支承部１１０の側面に形成され、前記脊柱支承部１１０の延出方向に対して垂直な方向（図２中のＸ軸方向）に形成されて前記脊柱支承部１１０を支える役割を果たす。前記補助支持部１５０は頭が楽に安着され得るように高さが２段に形成されてもよく、ユーザが一般的な枕として使用し得るように通常の枕と同じ形状に形成されてもよい。また、前記補助支持部１５０は、その長さに制限がなく、前記脊柱支承部１１０の一側面だけに形成されてもよく、両側面ともに形成されてもよい。
【００３１】
前記香り発生部１８０は、ハーブ、薬材のような香りの効果を得ることができる香り発生物質を収めており、香りが均一に広がるように香り通路１８２に沿って香りを発生させる。前記香り発生部１８０は瞑想用枕の下部（図２中のＺ軸の負方向側の部分）に形成されることができ、前記香り発生物質は川弓（センキュウ）、当帰（トウキ）、白止(ビャクシ)、辛夷（シンイ）、杜仲(トチュウ)、白朮(ビャクジュツ)、藁本（コウホン）、牡丹皮（ボタンピ）などの漢方薬材が含まれることもできる。
【００３２】
前記音響発生部１９０は、睡眠に役立つ音響を発生させる音響機器を含み、前記音響機器は前記瞑想用枕の下部に形成されてもよく、スピーカー１９５は前記瞑想用枕の側面または上端部（図２中のＺ軸の正方向側の端部）に形成されることができる。
【００３３】
図７は本発明の他の実施例による頭蓋仙骨療法を用いた瞑想用枕の平面図であり、図８は本発明の他の実施例による頭蓋仙骨療法を用いた瞑想用枕の背面図であり、図９は本発明の他の実施例による頭蓋仙骨療法を用いた瞑想用枕の使用状態を示す図である。
【００３４】
図７〜図９を参照すれば、本発明の他の実施例による瞑想用枕は、前記首支持部１４０の上端部に形成され、後頭骨（occipital bone）を刺激するために頭方向（図２中のＺ軸の正方向）に突出するように形成される後頭骨指圧部１６０を含む。
【００３５】
前記後頭骨指圧部１６０は、前記後頭骨を刺激するために設けられ、前記後頭骨の中で乳様突起の下方が安着される部位に形成されることができ、前記後頭骨の中で第４脳室（Fourth ventricle）が安着される部位に形成されることもできる。指圧効果を高めるために前記後頭骨指圧部１６０の上端には後頭骨指圧棒がさらに形成され得る。また、前記後頭骨指圧部が乳様突起の下方に形成される場合、頭の位置の移動が要らないが、第４脳室が位置する部位に形成される場合は、図９に示しているように、前記後頭骨指圧部が前記第４脳室の部位に位置するように頭の位置を移動して用いる。
【００３６】
前記後頭骨指圧部１６０は、前記首支持部１４０と脱着自在に形成でき、前記後頭骨指圧部１６０の下部及び前記首支持部１４０の上部は前記後頭骨指圧部１６０が前記首支持部１４０と脱着自在に同一の形状で形成される。
【００３７】
前記後頭骨指圧部１６０は頭の重みによって自然な荷重が発生すれば前記乳様突起の下方または第４脳室の部位を刺激して横隔膜活動と呼吸の自律神経調節に影響を与えることで交感神経系の緊張を弛緩させ、脳脊髄液の循環を活性化させて頭痛及び熱などを軽減させる役割を果たす。
【００３８】
以上、本発明を具体的な実施例、具体的には、頭蓋仙骨療法を応用した瞑想用枕によって説明したが、これらの実施例は本発明を例示するためのものに過ぎず、本発明を制限するものではない。瞑想用といった用途に限定されるものではなく、単に寝具として用いられうることは言うまでもない。さらに、本発明の属する技術分野における通常の知識を持つ当業者ならば、その技術的思想や必須的特徴を変更しない限度内で、他の具体的な形態で実施可能である。
【００３９】
なお、本発明の範囲は、前記詳細な説明よりも添付の特許請求の範囲によって特定され、特許請求の範囲の意味及び範囲、更にその等価概念から導出される全ての変更又は変形された形態をも本発明の範囲に含まれるものと解釈すべきである。
【産業上の利用可能性】
【００４０】
本発明による瞑想用枕は楽な安着感のためにクッション作用及び伸長作用が可能なスポンジ、ポリウレタン、メモリーフォームなどの弾性材質で形成することができ、指圧効果を高めるために木材、プラスチックなどの非弾性材質でもよい。
【符号の説明】
【００４１】
１００  頭蓋仙骨療法を用いた瞑想用枕
１１０（１１０ａ，１１０ｂ，１１０ｃ）  脊柱支承部
１１２  脊柱安着溝
１１４  脊柱指圧棒
１２０  後頭部支承部
１２２  後頭部安着溝
１３０  後頭部指圧部
１４０  首支持部
１５０  補助支持部
１６０  後頭骨指圧部
１８０  香り発生部
１９０  音響発生部
【図２】
0004999883.tif 000002
【図３】
0004999883.tif 000003
【図４】
0004999883.tif 000004
【図５】
0004999883.tif 000005
【図６】
0004999883.tif 000006
【図７】
0004999883.tif 000007
【図８】
0004999883.tif 000008
【図９】
0004999883.tif 000009
【図１】
0004999883.tif 000010